(57)【要約】【課題】ＣＯＭ分割駆動を採用する場合において、共通電極に対して電圧信号を供給する経路の配線抵抗を低減する。【解決手段】電気光学装置（１００）は、複数の画素電極（９ａ）と、１以上の水平ライン毎の画素電極に対応して形成される複数の共通電極（１１、ＣＯＭ１〜ＣＯＭｎ）と、画素電極と共通電極との間に印加される電界に応じて駆動される電気光学物質（５０）と、相隣接する２つの共通電極に、夫々、第１電圧信号（ＶＣＯＭＨ）及び第２電圧信号（ＶＣＯＭＬ）が供給されるように、複数の共通電極の夫々に対して第１電圧信号及び第２電圧信号を交互に供給する供給回路（１１０）と、供給回路に対して、第１電圧信号及び第２電圧信号の夫々を供給する電源回路（１３０）と、電源回路と供給回路との間に設けられる第１信号経路（ＺＨ＃１、ＺＬ＃１）と、第１信号経路とは異なると共に、電源回路と供給回路との間に配置される少なくとも１つの第２信号経路（ＺＨ＃２、ＺＬ＃２）とを備える。【選択図】図３
2009210674.tif 000002
【特許請求の範囲】
【請求項１】
複数の画素電極と、
１以上の水平ライン毎の画素電極に対応して形成される複数の共通電極と、
前記複数の画素電極と前記複数の共通電極との間に印加される電界に応じて駆動される電気光学物質と、
相隣接する２つの共通電極に、夫々、第１電圧信号及び該第１電圧信号とは異なる第２電圧信号が供給されるように、前記複数の共通電極の夫々に対して前記第１電圧信号及び前記第２電圧信号を交互に供給する供給回路と、
前記供給回路に対して、前記第１電圧信号及び前記第２電圧信号の夫々を供給する電源回路と、
前記電源回路と前記供給回路との間に設けられる第１信号経路と、
前記第１信号経路とは異なると共に、前記電源回路と前記供給回路との間に配置される少なくとも１つの第２信号経路と
を備えることを特徴とする電気光学装置。
【請求項２】
当該電気光学装置は、前記複数の画素電極が配置されて構成される画像表示領域の少なくとも２つの辺に隣接するように、前記供給回路を複数備えており、
前記第１信号経路は、前記電源回路と前記複数の供給回路のうちの一の供給回路との間に配置され、
前記少なくとも１つの第２信号経路は、前記電源回路と前記複数の供給回路のうちの前記一の供給回路以外の他の供給回路との間に配置されることを特徴とする請求項１に記載の電気光学装置。
【請求項３】
前記少なくとも１つの第２信号経路は、前記第１信号経路に対して電気的に直列の関係となるように、前記電源回路と前記供給回路との間に配置されることを特徴とする請求項２に記載の電気光学装置。
【請求項４】
当該電気光学装置の駆動に必要な信号の入力を外部から受け付ける第１端子と、
当該電気光学装置の駆動前に行われる検査に必要な信号の入力を受け付ける第２端子と
を更に備え、
前記少なくとも１つの第２信号経路は、前記電源回路から前記第２端子を経由して前記供給回路へ至る信号経路であることを特徴とする請求項１に記載の電気光学装置。
【請求項５】
前記少なくとも１つの第２信号経路は、前記第１信号経路に対して電気的に並列の関係となるように、前記電源回路と前記供給回路との間に配置されることを特徴とする請求項４に記載の電気光学装置。
【請求項６】
前記共通線駆動回路は、水平ライン毎に対応して設けられ、前記第１電圧信号及び前記第２電圧信号のいずれかを選択するための極性信号が供給される複数の単位駆動回路を備えており、
前記複数の単位駆動回路の夫々は、
所定のタイミングで前記極性信号を保持するラッチ回路と、
前記ラッチ回路により保持される前記極性信号に応じて、前記電源回路から前記第１信号経路及び前記第２信号経路の少なくとも一方を介して供給される前記第１電圧信号及び前記第２電圧信号の夫々のいずれかを選択的に出力する選択回路と
を備えることを特徴とする請求項１から５のいずれか一項に記載の電気光学装置。
【請求項７】
前記電気光学装置は、前記複数の画素電極及び前記複数の共通電極の夫々が形成される第１基板と、前記第１基板に対向するように配置される第２基板とを備えており、
前記電気光学物質は、前記第１基板及び前記第２基板の間に挟持されることを特徴とする請求項１から６のいずれか一項に記載の電気光学装置。
【請求項８】
請求項１から７のいずれか一項に記載の電気光学装置を備えることを特徴とする電子機器。
【発明の詳細な説明】
【技術分野】
【０００１】
本発明は、例えば液晶装置等の電気光学装置、及びこのような電気光学装置を備える電子機器の技術分野に関する。
【背景技術】
【０００２】
この種の電気光学装置として、一対の素子基板及び対向基板間に、電気光学物質の一例である液晶が挟持される液晶装置が一例としてあげられる。素子基板上における複数の画素が配列されてなる表示領域（画素領域）には、走査線及びデータ線の交差に対応して画素電極を含む画素部が形成されることにより、複数の画素部がマトリクス状に平面配列される。そして、各画素部には、画素スイッチング素子として、例えば薄膜トランジスタ（Thin Film Transistor；以下適宜、「ＴＦＴ」と称する）が含まれる。電気光学装置の駆動時、各画素部において、走査線より走査信号が供給されることにより画素スイッチング素子がオン状態となると、データ線より画素スイッチング素子を介して画素電極に画像信号が供給される。また、典型的には、複数の画素電極に対応して、表示領域の概ね全体に、複数の画素部に共通に共通電極（或いは、対向電極）がベタ状に形成されている。そして、液晶装置の駆動時には、画素電極と共通電極との間の電位差に基づく印加電圧が液晶に印加される。その結果、液晶の配向や秩序が制御され、画像表示が可能となる。
【０００３】
このような液晶装置においては、近年、液晶装置の低消費電力化を実現するために、共通電極を１水平ライン（１行）毎に分割する（例えば、走査線に平行な方向に沿って分割する）と共に、ある電位レベル（例えば、相対的にハイレベル）の電圧を同一行の共通電極に供給し、且つ異なる電位レベル（例えば、相対的にローレベル）の電圧を相隣接する行の共通電極に供給しつつ、係る電圧の電位レベルを１水平走査期間毎に１行ずつ反転させる駆動（以降、このような駆動を適宜“ＣＯＭ分割駆動”と称する）が行われる（特許文献１参照）。これにより、全ての共通電極に対して同一電位レベルの電圧を供給しつつ、係る全ての共通電極の電位レベルを１水平走査期間毎に一括して反転させる駆動の態様と比較して、低消費電力化を図ることができる。
【０００４】
【特許文献１】特願２００６−１８３０５１
【発明の開示】
【発明が解決しようとする課題】
【０００５】
このようなＣＯＭ分割駆動を行う液晶装置においては、水平ライン毎に（言い換えれば、行毎に）分割された共通電極を有しているため、ベタ状に形成された共通電極を備える液晶装置と比較して、１つの（つまり、１行の）共通電極の配線抵抗が大きくなってしまう。その結果、１つの共通電極当たりの負荷が高くなってしまう。このため、共通電極と対になる画素電極の電位の変化（つまり、画像信号に応じた画素電極の電位の変化）に誘導されて、本来は一定であるはずの共通電極の電位が変化してしまうという技術的な問題点を有している。更には、共通電極の電位が元の状態に戻らなければ、液晶に印加される電位差が本来意図した電位差とは異なるものになってしまいかねない。その結果、本来意図した表示を行うことができなくなってしまう（例えば、本来意図した階調とは異なる階調での表示が行われる）という技術的な問題点を有している。
【０００６】
本発明は、例えば上述した従来の問題点に鑑みなされたものであり、例えばＣＯＭ分割駆動を採用する場合において、共通電極に対して電圧信号を供給する経路の配線抵抗を低減する電気光学装置、及びこのような電気光学装置を備える電子機器を提供することを課題とする。
【課題を解決するための手段】
【０００７】
（電気光学装置）
本発明の電気光学装置は、複数の画素電極と、１以上の水平ライン毎の画素電極に対応して形成される複数の共通電極と、前記複数の画素電極と前記複数の共通電極との間に印加される電界に応じて駆動される電気光学物質と、相隣接する２つの共通電極に、夫々、第１電圧信号及び該第１電圧信号とは異なる第２電圧信号が供給されるように、前記複数の共通電極の夫々に対して前記第１電圧信号及び前記第２電圧信号を交互に供給する供給回路と、前記供給回路に対して、前記第１電圧信号及び前記第２電圧信号の夫々を供給する電源回路と、前記電源回路と前記供給回路との間に設けられる第１信号経路と、前記第１信号経路とは異なると共に、前記電源回路と前記供給回路との間に配置される少なくとも１つの第２信号経路とを備える。
【０００８】
本発明の電気光学装置によれば、例えば画像信号が供給されるデータ線と走査信号が供給される走査線との交差位置に対応するように設けられる複数の画素電極と、１以上の水平ライン毎に設けられる（言い換えれば、１つの走査線毎若しくは２以上の走査線毎に１つずつ設けられる）複数の共通電極とを備えている。つまり、本発明においては、通常ベタ状に形成される共通電極が、１水平ライン毎（例えば、走査線に沿って）若しくは２以上の水平ライン毎（例えば、２以上の走査線に沿って）に、電気的に分割されている。そして、水平ライン毎に、各水平ラインに属する複数の画素電極の一部と共通電極との間の電位差に起因した電圧が電気光学物質に印加されることで、画像表示等が行われる。
【０００９】
本発明に係る電気光学装置は、共通電極に対して電圧信号を供給するために、供給回路と、電源回路と、第１信号経路とを備えている。
【００１０】
供給回路は、複数の共通電極のうちの相隣接する２つの共通電極に対して、夫々異なる電圧信号（つまり、第１電圧信号及び第２電圧信号）が供給されるように、複数の共通電極の夫々に対して第１電圧信号又は第２電圧信号を供給する。言い換えれば、供給回路は、奇数ライン（奇数行）に対応する共通電極に供給される電圧信号と、偶数ライン（偶数行）に対応する共通電極に供給される電圧信号とが相互に異なる信号となるように、複数の共通電極の夫々に対して第１電圧信号又は第２電圧信号を供給する。具体的には、供給回路は、一の共通電極に対して第１電圧信号（例えば、相対的にハイレベルな電圧信号）及び第２電圧信号（例えば、相対的にローレベルな電圧信号）のうちの一方を供給する。その一方で、供給回路は、一の共通電極に隣接する他の共通電極に対して第１電圧信号及び第２電圧信号のうちの他方を供給する。
【００１１】
供給回路が複数の共通電極に対して供給する第１電圧信号及び第２電圧信号は、電源回路から供給回路に対して供給される。電源回路は、それ自体が電源を備える構成を有していてもよい。この場合、電源として、第１電圧信号を出力する第１電源と第２電圧信号を出力する第２電源とを備えていてもよい。或いは、電源として、単一の電圧信号を出力する単一の電源を備えていてもよい。但し、単一の電圧信号を出力する単一の電源を備えている場合には、電源回路は、該単一の電圧信号を昇圧又は降圧することで、電位が異なる２種類の電圧信号（つまり、第１電圧信号及び第２電圧信号）を生成することが好ましい。他方で、電源回路は、それ自体が電源を備えることに加えて又は代えて、電気光学装置の外部から入力される電圧信号を受け取ると共に該受け取った電圧信号を供給回路に対して供給する構成を有していてもよい。この場合、電源回路は、電気光学装置の外部から入力される第１電圧信号及び第２電圧信号を受け取ると共に該受け取った第１電圧信号及び第２電圧信号を供給回路に対してそのまま供給する構成を有していてもよい。或いは、電源回路は、電気光学装置の外部から入力される単一の電圧信号を受け取り、該受け取った単一の電圧信号を昇圧又は降圧することで電位が異なる２種類の電圧信号（つまり、第１電圧信号及び第２電圧信号）を生成し、該生成した第１電圧信号及び第２電圧信号を供給回路に対して供給する構成を有していてもよい。
【００１２】
この第１電圧信号及び第２電圧信号は、電源回路と供給回路との間に配置される第１信号経路を介して、電源回路から供給回路に対して供給される。ここに、「信号経路」とは、電源回路から出力される第１電圧信号及び第２電圧信号が供給回路に向かって流れるための電気的な配線（或いは、電流パス）を示す趣旨であり、典型的には、第１電圧信号が流れる配線と第２電圧信号が流れる配線とを個別に有している。
【００１３】
このため、電源回路から出力される第１電圧信号及び第２電圧信号の夫々は、第１信号経路を介して供給回路に入力された後、供給回路において複数の共通電極の夫々に対して選択的に供給される。これにより、電気光学装置の低消費電力化を図ることができる。
【００１４】
このように、第１電圧信号及び第２電圧信号の夫々を複数の共通電極の夫々に対して選択的に供給するためには、少なくとも第１信号経路を備えていれば足りるところ、本発明では特に、第１信号経路のみならず、少なくとも１つの（つまり、一又は複数の）第２信号経路を更に備えている。少なくとも１つの第２信号経路も、第１信号経路と同様に、電源回路から出力される第１電圧信号及び第２電圧信号が供給回路に向かって流れるための電気的な配線（或いは、電流パス）を示す趣旨であり、典型的には、第１電圧信号が流れる配線と第２電圧信号が流れる配線とを個別に有している。
【００１５】
このように、第１信号経路に加えて第２信号経路を更に（いわば、付加的に）備えているため、第１信号経路のみを備えている電気光学装置と比較して、電源回路から供給回路を経て各共通電極へ至るまでの信号経路を増やすことができる。つまり、各共通電極への第１電圧信号及び第２電圧信号の入力経路を増やすことができる。従って、本発明の電気光学装置においては、第１信号経路のみを備えている電気光学装置と比較して、電源回路から供給回路を経て各共通電極へ至るまでの配線負荷を相対的に低減させることができる。これにより、各共通電極の電位が、各共通電極と対になる画素電極の電位の変化に誘導されてしまうという不都合の発生を好適に抑制ないしは防止することができる。これにより、電気光学物質に対して、本来意図した電位差とは異なる電位差が印加されてしまうという不都合の発生を好適に抑制ないしは防止することができる。その結果、電気光学装置は、本来意図した態様での画像表示を行うことができる。つまり、第２信号経路を付加的に設けることで、電気光学装置の表示品位を相対的に向上させることができる。
【００１６】
本発明の電気光学装置の一の態様では、当該電気光学装置は、前記複数の画素電極が配置されて構成される画像表示領域の少なくとも２つの辺に隣接するように、前記供給回路を複数備えており、前記第１信号経路は、前記電源回路と前記少なくとも２つの供給回路のうちの一の供給回路との間に配置され、前記少なくとも１つの第２信号経路は、前記電源回路と前記複数の供給回路のうちの前記一の供給回路以外の他の供給回路との間に配置される。
【００１７】
この態様によれば、各共通電極に対しては、一の供給回路の動作により、電源回路から第１信号経路を介して供給される第１電圧信号及び第２電圧信号の夫々が選択的に供給される。同様に、各共通電極に対しては、他の供給回路の動作により、電源回路から第２信号経路を介して供給される第１電圧信号及び第２電圧信号の夫々が選択的に供給される。つまり、第１信号経路のみを備えている電気光学装置と比較して、電源回路から供給回路を経て各共通電極へ至るまでの信号経路を増やすことができるため、上述した効果を好適に享受することができる。
【００１８】
尚、複数の第２信号経路を備えている場合には、そのうちの少なくとも１つの第２信号経路が電源回路と他の供給回路との間に配置されていれば、上述した効果を享受することができる。
【００１９】
上述の如く第１信号経路が電源回路と一の供給回路との間に配置され且つ第２信号経路が電源回路と他の供給回路との間に配置される電気光学装置の態様では、前記少なくとも１つの第２信号経路は、前記第１信号経路に対して電気的に直列の関係となるように、前記電源回路と前記供給回路との間に配置されるように構成してもよい。
【００２０】
このように構成すれば、第１信号経路と干渉することなく一又は複数の第２信号経路を適切に配置することができる。尚、複数の第２信号経路を備えている場合には、そのうちの少なくとも１つの第２信号経路が第１信号経路に対して電気的に直列の関係となるように、電源回路と供給回路との間に配置されていれば、上述した効果を享受することができる。
【００２１】
本発明の電気光学装置の他の態様では、当該電気光学装置の駆動に必要な信号の入力を外部から受け付ける第１端子と、当該電気光学装置の駆動前に行われる検査に必要な信号の入力を受け付ける第２端子とを更に備え、前記少なくとも１つの第２信号経路は、前記電源回路から前記第２端子を経由して前記供給回路へ至る信号経路である。
【００２２】
この態様によれば、各共通電極に対しては、供給回路の動作により、電源回路から第１信号経路及び第２信号回路の夫々を介して供給される第１電圧信号及び第２電圧信号の夫々が選択的に供給される。つまり、第１信号経路のみを備えている電気光学装置と比較して、電源回路から供給回路を経て各共通電極へ至るまでの信号経路を増やすことができるため、上述した効果を好適に享受することができる。
【００２３】
加えて、走査線やデータ線等が設けられていない比較的スペースに余裕のある領域に第２端子が設けられることが多いことを考慮すれば、第２信号経路を比較的容易に設けることができるという効果を享受することができる。加えて、検査に用いられる第２端子が設けられる領域は、一般的に薄膜形成プロセスの制約が少ない領域であることが多いため、シート抵抗値が相対的に低いアルミなどの配線層を使えることが多いため、第２信号経路の抵抗値を相対的に低くすることができる。その結果、電源回路から供給回路を経て各共通電極へ至るまでの配線負荷をより一層低減させることができるという効果をも更に享受することができる。
【００２４】
尚、複数の第２信号経路を備えている場合には、そのうちの少なくとも１つの第２信号経路が、電源回路から第２端子を経由して供給回路へ至る信号経路であれば、上述した効果を享受することができる。
【００２５】
上述の如く第２信号経路が電源回路から第２端子を経由して供給回路へ至る信号経路である電気光学装置の態様では、前記少なくとも１つの第２信号経路は、前記第１信号経路に対して電気的に並列の関係となるように、前記電源回路と前記供給回路との間に配置されるように構成してもよい。
【００２６】
このように構成すれば、第１信号経路と干渉することなく一又は複数の第２信号経路を適切に配置することができる。尚、複数の第２信号経路を備えている場合には、そのうちの少なくとも１つの第２信号経路が第１信号経路に対して電気的に並列の関係となるように、電源回路と供給回路との間に配置されていれば、上述した効果を享受することができる。
【００２７】
本発明の電気光学装置の他の態様では、前記共通線駆動回路は、水平ライン毎に対応して設けられ、前記第１電圧信号及び前記第２電圧信号のいずれかを選択するための極性信号が供給される複数の単位駆動回路を備えており、前記複数の単位駆動回路の夫々は、所定のタイミングで前記極性信号を保持するラッチ回路と、前記ラッチ回路により保持される前記極性信号に応じて、前記電源回路から前記第１信号経路及び前記第２信号経路の少なくとも一方を介して供給される前記第１電圧信号及び前記第２電圧信号の夫々のいずれかを選択的に出力する選択回路とを備える。
【００２８】
この態様によれば、複数の共通電極のうちの相隣接する２つの共通電極に対して、夫々異なる電圧信号が供給されるように、複数の共通電極の夫々に対して電圧信号を供給することができる。
【００２９】
加えて、供給回路は、極性信号に応じて、各共通電極に対して供給される電圧信号を、所定期間毎に第１電圧信号から第２電圧信号へと又は第２電圧信号から第１電圧信号へと切り替えることができる。例えば、一の所定期間において一の共通電極に第１電圧信号及び第２電圧信号の一方を供給すると共に、一の所定期間に続く他の所定期間において一の共通電極に第１電圧信号及び第２電圧信号の他方を供給する。尚、ここでいう「所定期間」とは、第１電圧信号から第２電圧信号へと又は第２電圧信号から第１電圧信号へと切り替えられる期間として、駆動方式に対応して予め設定される期間を意味し、例えば、一垂直走査期間、フレーム期間、フィールド期間等が一例としてあげられる。
【００３０】
従って、いわゆるＣＯＭ分割駆動を好適に行うことができる。
【００３１】
本発明の電気光学装置の他の態様では、前記電気光学装置は、前記複数の画素電極及び前記複数の共通電極の夫々が形成される第１基板と、前記第１基板に対向するように配置される第２基板とを備えており、前記電気光学物質は、前記第１基板及び前記第２基板の間に挟持される。
【００３２】
この態様によれば、例えば、ＦＦＳ方式やＩＰＳ方式等の横電界駆動方式の電気光学装置において、上述した各種効果を享受することができる。
【００３３】
尚、複数の共通電極は、第２基板側に形成されてもよい。
【００３４】
（電子機器）
上記課題を解決するために、本発明の電子機器は、上述した本発明の電気光学装置（但し、その各種態様を含む）を備える。
【００３５】
本発明の電子機器によれば、上述した本発明の電気光学装置（或いは、その各種態様）備えているため、上述した本発明の電気光学装置が享受する各種効果と同様の効果を享受することができる。つまり、上述した本発明の電気光学装置が享受する各種効果と同様の効果を享受することができる投射型表示装置、テレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネルなどの各種電子機器を実現することができる。
【００３６】
本発明の作用及び他の利得は次に説明する実施の形態から更に明らかにされよう。
【発明を実施するための最良の形態】
【００３７】
以下、本発明を実施するための最良の形態を、図面に基づいて説明する。尚、以下では、本発明に係る電気光学装置の一例として、液晶装置を用いて説明を進める。
【００３８】
（１）液晶装置の基本構成
先ず、本実施形態に係る液晶装置の構成について、図１及び図２を参照して説明する。図１は、本実施形態に係る液晶装置の構成を示す平面図であり、図２は、図１のＨ−Ｈ’断面図である。
【００３９】
図１及び図２において、本実施形態に係る液晶装置１００では、本発明に係る「第１基板」の一例としてのＴＦＴアレイ基板１０と本発明における「第２基板」の一例としての対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置する枠状或いは額縁状のシール領域に設けられたシール材５２により互いに貼り合わされている。
【００４０】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（基板間ギャップ）を所定値とするためのグラスファイバ或いはガラスビーズ等のスペーサが散布されている。
【００４１】
シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１、本発明における「電源回路」の一具体例を構成する駆動ＩＣ回路１３０及び本発明における「第１端子」の一具体例を構成する外部回路接続端子１０２がＴＦＴアレイ基板１０の一辺に沿って設けられている。但し、データ線駆動回路１０１及び駆動ＩＣ回路１３０は、シール領域よりも内側に、データ線駆動回路１０１及び駆動ＩＣ回路１３０が額縁遮光膜５３に覆われるようにして設けられていてもよい。また、本発明における「供給回路」の一具体例を構成する共通配線駆動回路１１０は、この一辺に隣接する２辺に沿ったシール領域の内側に、額縁遮光膜５３に覆われるようにして設けられている。また、不図示の走査線駆動回路１０４もまた、シール領域の内側に、額縁遮光膜５３に覆われるようにして設けられている。
【００４２】
図２において、ＴＦＴアレイ基板１０上には、駆動素子である画素スイッチング用のＴＦＴ（Thin Film Transistor）や走査線、データ線等の配線が作り込まれた積層構造が形成されている。具体的には、画像表示領域１０ａには、画素スイッチング用ＴＦＴや走査線、データ線等の配線の上層に共通電極１１、絶縁層１２及び画素電極９ａがこの順に形成されている。つまり、本実施形態に係る液晶装置１００は、画素電極９ａと共通電極１１との間に生ずる電界によって液晶層５０の配向状態を制御する横電界駆動方式（特に、ＦＦＳ（Fringe Field Switching）方式）を採用している。ここで、画素電極９ａは、画像表示領域１０ａを構成する各画素を形成するようにマトリクス状に設けられている。一方で、共通電極１１は、１つの行に属する画素電極９ａに対応する共通電極が、１水平ラインごとに配置される走査線ごとに配置されるデータ線ごとに分割されている。尚、共通電極１１は、複数ラインごとに分割、すなわち、１以上の水平ラインごとの画素電極に対応して形成されていてもよい。また、本実施形態では、共通電極１１と共通配線ＣＯＭは、同一プロセスにより一体に形成されている。他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上にカラーフィルタ８が形成されている。また、液晶層５０は、例えば一種又は数種類のネマティック液晶を混合した液晶からなり、一対の基板間で、所定の配向状態をとる。
【００４３】
尚、ここでは図示しないが、ＴＦＴアレイ基板１０上には、データ線駆動回路１０１、駆動ＩＣ回路１３０、共通線駆動回路１１０、走査線駆動回路１０４の他に、製造途中や出荷時の当該液晶装置の品質、欠陥等を検査するための検査回路、検査用パターン等が形成されていてもよい。
【００４４】
（２）液晶装置の詳細な構成
続いて、図３を参照して、本実施形態に係る液晶装置１００の要部の電気的な構成について説明する。ここに、図３は、本実施形態に係る液晶装置１００の要部の電気的な構成を概念的に示すブロック図である。
【００４５】
図３において、本実施形態に係る液晶装置１００は、そのＴＦＴアレイ基板１０上の画像表示領域１０ａの周辺に位置する周辺領域に、走査線駆動回路１０４、データ線駆動回路１０１、２つの共通配線駆動回路１１０、駆動ＩＣ回路１３０等の駆動回路が形成されている。尚、図３において、走査線駆動回路１０４は、データ線駆動回路１０１が配置された辺の対辺に配置されているが、走査線駆動回路１０４の配置は、図３に示した例に限らない。例えば、走査線駆動回路１０４は、片側の共通配線駆動回路１１０（例えば１１０ａ）の内側若しくは外側に平行に配置してもよい。また、走査線駆動回路１０４、データ線駆動回路１０１は、共通配線駆動回路１１０と同じように、シリコン・オン・グラス（ＳＯＧ）技術によりは、ＴＦＴアレイ基板１０上にＴＦＴ１１６と同じプロセスにより形成されてもよい。
【００４６】
走査線駆動回路１０４は、走査信号を、走査線Ｙ１からＹｎ（但し、ｎは１以上の整数）に順次供給する。例えば、ある走査線Ｙａ（但し、ａは、１≦ａ≦ｎを満たす整数）にハイレベルの走査信号が供給されると、この走査線Ｙａに接続されたＴＦＴ１１６が全てオン状態となり、この走査線Ｙａに対応する画素部７０が全て選択される。
【００４７】
データ線駆動回路１０１は、画像信号を、データ線Ｘ１からＸｍ（但し、ｍは１以上の整数）に順次供給し、オン状態のＴＦＴ１１６を介してこの画像信号に基づく画像電圧を画素電極９ａに書き込む。
【００４８】
共通配線駆動回路１１０は、後に詳述するように、第１電圧ＶＣＯＭＨ又は第１電圧ＶＣＯＭＨよりも電位が低い第２電圧ＶＣＯＭＬ（言い換えれば、所定の基準電位（例えば、画像信号に基づく画像電圧の中心電位）に対して正極性の第１電圧ＶＣＯＭＨ（例えば、５Ｖ）又は所定の基準電位に対して負極性の第２電圧ＶＣＯＭＬ（例えば、０Ｖ））を、共通配線ＣＯＭ１からＣＯＭｎに供給する。より具体的には、共通配線駆動回路１１０は、ａ行目の共通配線ＣＯＭａに対して、１フレーム期間毎に、第１電圧ＶＣＯＭＨと第２電圧ＶＣＯＭＬとを交互に供給する。例えば、共通配線駆動回路１１０は、ある１フレーム期間において、共通配線ＣＯＭａに第１電圧ＶＣＯＭＨを供給した場合には、次の１フレーム期間において、共通配線ＣＯＭａに第２電圧ＶＣＯＭＬを供給する。他方、共通配線駆動回路１１０は、ある１フレーム期間において、共通配線ＣＯＭａに第２電圧ＶＣＯＭＬを供給した場合には、次の１フレーム期間において、共通配線ＣＯＭａに第１電圧ＶＣＯＭＨを供給する。また、共通配線駆動回路１１０は、互いに隣接する共通配線ＣＯＭａ−１と共通配線ＣＯＭａには、互いに異なる電圧を供給する。つまり、共通配線駆動回路１１０は、共通配線ＣＯＭａ−１に第１電圧ＶＣＯＭＨ（又は、第２電圧ＶＣＯＭＬ）を供給する一方で、共通配線ＣＯＭａ−１に隣接する共通配線ＣＯＭａに第２電圧ＶＣＯＭＬ（又は、第１電圧ＶＣＯＭＨ）を供給する。尚、共通配線駆動回路１１０の構成や詳細な動作については後に詳細に説明する（図４から図６参照）。
【００４９】
尚、本実施形態では、画像表示領域１０ａを挟んで左右両側の夫々の辺に共通配線駆動回路１１０が設けられている。この２つの共通配線駆動回路１１０は、互いに概ね同じ構成を有すると共に同じ動作（同じ信号、電圧が入力され、同じタイミングで、同じ信号、電圧を共通配線ＣＯＭａに出力する）を行う。このため、以降の説明では、単に“共通線駆動回路１１０”と称する場合には、２つの共通配線駆動回路１１０の夫々を示しているものとする。他方で、２つの共通配線駆動回路１１０を区別して説明する場合には、夫々左側共通線駆動回路１１０ａ及び右側共通配線駆動回路１１０ｂと称する。
【００５０】
駆動ＩＣ回路１３０は、外部回路接続端子１０２のうちの電源端子１０２ａより供給される電圧信号を昇圧又は降圧することで、上述した第１電圧ＶＣＯＭＨ及び第２電圧ＶＣＯＭＬを生成する。更に、駆動ＩＣ回路１３０は、生成した第１電圧ＶＣＯＭＨ及び第２電圧ＶＣＯＭＬを、夫々が本発明における「第１信号経路」の一具体例を構成する第１電圧供給線ＺＨ＃１及び第２電圧供給線ＺＬ＃１を介して左側共通線駆動回路１１０ａに対して供給する。
【００５１】
加えて、左側共通線駆動回路１１０ａに供給された第１電圧ＶＣＯＭＨ及び第２電圧ＶＣＯＭＬは、夫々が本発明における「第２信号経路」の一具体例を構成する第１電圧供給線ＺＨ＃２及び第２電圧供給線ＺＬ＃２を介して、左側共通配線駆動回路１１０ａから右側共通線駆動回路１１０ｂに供給される。つまり、駆動ＩＣ回路１３０は、第１電圧供給線ＺＨ＃１及び第２電圧供給線ＺＬ＃１を介して、第１電圧ＶＣＯＭＨ及び第２電圧ＶＣＯＭＬの夫々を左側共通配線駆動回路１１０ａに供給すると共に、第１電圧供給線ＺＨ＃２及び第２電圧供給線ＺＬ＃２を介して、第１電圧ＶＣＯＭＨ及び第２電圧ＶＣＯＭＬの夫々を右側共通線駆動回路１１０ｂに供給する。
【００５２】
第１電圧供給線ＺＨ＃１及び第２電圧供給線ＺＬ＃１と、第１電圧供給線ＺＨ＃２及び第２電圧供給線ＺＬ＃２とは、共に画像表示領域１０ａの外側の領域（つまり、額縁領域やシール領域やそれ以外の領域）に設けられることが好ましい。
【００５３】
尚、第１電圧供給線ＺＨ＃１及び第２電圧供給線ＺＬ＃１と、第１電圧供給線ＺＨ＃２及び第２電圧供給線ＺＬ＃２とは、夫々１本の連続する配線であってもよい。つまり、第１電圧供給線ＺＨ＃１と第１電圧供給線ＺＨ＃１とが１本の連続する配線であり、第２電圧供給線ＺＬ＃１と第２電圧供給線ＺＬ＃２とが１本の連続する配線であってもよい。この場合、駆動ＩＣ回路１３０から左側共通配線駆動回路１１０ａに至る配線部分が、第１電圧供給線ＺＨ＃１及び第２電圧供給線ＺＬ＃１となり、左側共通配線駆動回路１１０ａから右側共通線駆動回路１１０ｂに至る配線部分が、第１電圧供給線ＺＨ＃２及び第２電圧供給線ＺＬ＃２となる。
【００５４】
本実施形態に係る液晶装置１００には、更に、そのＴＦＴアレイ基板１０の中央を占める画像表示領域１０ａに、マトリクス状に配列された複数の画素部７０が設けられている。
【００５５】
画素部７０は、画素スイッチング用のＴＦＴ１１６、液晶容量１１８及び蓄積容量１１９を備えている。
【００５６】
ＴＦＴ１１６は、ソース端子がデータ線Ｘ１からＸｍのいずれかに電気的に接続され、ゲート端子が走査線Ｙ１からＹｎのいずれかに電気的に接続され、ドレイン端子が画素電極９ａに電気的に接続されている。画素スイッチング用のＴＦＴ１１６は、走査線駆動回路１０４から供給される走査信号によってオン状態及びオフ状態が切り換えられる。
【００５７】
液晶容量１１８は、画素電極９ａ、共通電極１１並びに画素電極９ａ及び共通電極１１間に位置する液晶から構成されている。画素電極９ａは、ＴＦＴ１１６を介してデータ線Ｘ１からＸｍのいずれかと電気的に接続されている。共通電極１１は、共通配線ＣＯＭ１からＣＯＭｎのいずれかと電気的に接続されている。尚、画素電極９ａ及び共通電極１１は、上述したように、いずれもＴＦＴアレイ基板１０上に設けられている。液晶装置１００の動作時には、データ線Ｘ１からＸｍ及びＴＦＴ１１６を介して供給された画像信号の電位を有する画素電極９ａと、共通配線ＣＯＭ１からＣＯＭｎを介して供給された第１電圧ＶＣＯＭＨ又は第２電圧ＶＣＯＭＬの電位を有する共通電極１１との間には、ＴＦＴアレイ基板１０の基板面に沿った横電界が生じる。液晶は、当該横電界に応じて駆動されることによって、即ち、当該横電界に応じて分子集合の配向や秩序が変化することによって、光を変調し、階調表示を可能とする。
【００５８】
蓄積容量１１９は、保持された画像信号がリークするのを防ぐために、液晶容量１１８と並列に付加されている。蓄積容量１１９を構成する一方の電極は、画素電極９ａに電気的に接続され、他方の電極は、共通電極１１に電気的に接続されている。尚、本実施形態では、共通配線ＣＯＭａは、１水平ラインごとに分割された共通電極１１と一体に形成されている。
【００５９】
以上の液晶装置１００は、以下のように動作する。
【００６０】
まず、走査線駆動回路１０４から走査線Ｙａにハイレベルの走査信号を供給することで、走査線Ｙａに接続された全てのＴＦＴ１１６をオン状態にして、走査線Ｙａに係る全ての画素部７０を選択する。
【００６１】
また、走査線Ｙａに係る画素部７０の選択に同期して、データ線駆動回路１０１からデータ線Ｘ１からＸｍに、共通配線ＣＯＭ１からＣＯＭｎの電位に応じて、正極性の画像信号と負極性の画像信号とを、１水平走査期間毎に交互に供給する。具体的には、共通配線ＣＯＭａの電位が第１電圧ＶＣＯＭＨであれば、所定の基準電位に対して負極性の画像信号をデータ線Ｘ１からＸｍに供給する。他方、共通配線ＣＯＭａの電位が第２電圧ＶＣＯＭＬであれば、所定の基準電位に対して正極性の画像信号をデータ線Ｘ１からＸｍに供給する。
【００６２】
これにより、走査線駆動回路１０４で選択した全ての画素部７０に、データ線駆動回路１０１からデータ線Ｘ１からＸｍ及びＴＦＴ１１６を介して画像信号が供給される、この画像信号に基づく画像電圧が画素電極９ａに書き込まれる。これにより、画素電極９ａと共通電極１１との間に電位差が生じて、駆動電圧が液晶に印加される。
【００６３】
続いて、図４を参照して、共通配線駆動回路１１０の具体的な構成及び動作について説明する。ここに、図４は、共通配線駆動回路１１０の構成を概念的に示すブロック図である。
【００６４】
図４（ａ）及び図４（ｂ）に示すように、共通配線駆動回路１１０は、ラッチ回路１１１と、電圧選択回路１１３とを備えている。また、電圧選択回路１１３には、第１電圧供給線ＺＨ＃１（＃２）及び第２電圧供給線ＺＬ＃１（＃２）が接続されている。より具体的には、図４（ａ）に示すように、左側共通線駆動回路１１０ａが備える電圧選択回路１１３には、一端が駆動ＩＣ回路１３０に接続されている第１電圧供給線ＺＨ＃１及び第２電圧供給線ＺＬ＃１が接続されると共に、一端が右側共通配線駆動回路１１０ｂに接続されている第１電圧供給線ＺＨ＃２及び第２電圧供給線ＺＬ＃２が接続される。また、図４（ｂ）に示すように、右側共通線駆動回路１１０ｂが備える電圧選択回路１１３には、他端が左共通配線駆動回路１１０ａに接続されている第１電圧供給線ＺＨ＃２及び第２電圧供給線ＺＬ＃２が接続される。
【００６５】
続いて、図５を参照して、共通配線駆動回路１１０が備えるラッチ回路１１１の構成について説明する。ここに、図５は、共通配線駆動回路１１０が備えるラッチ回路１１１の構成を概念的に示すブロック図である。
【００６６】
図５に示すように、ラッチ回路１１１は、１行目の共通配線ＣＯＭ１及びｎ行目の共通配線ＣＯＭｎに対応して設けられた第１ラッチ回路部１１１−１＃１及び１１１−１＃ｎと、２行目からｎ−１行目の共通配線ＣＯＭ２からＣＯＭｎ−１に対応して設けられた第２ラッチ回路部１１１−２＃２から１１１−２＃ｎ−１（つまり、共通配線ＣＯＭｂ（但し、ｂは、２≦ｂ≦ｎ−１を満たす整数）に対応して設けられた第２ラッチ回路部１１１−２＃ｂ）とを含んでいる。
【００６７】
第２ラッチ回路部１１１−２＃ｂは、ＮＯＲ回路Ｕ１１、第１インバータＵ１２、第２インバータＵ１３、第１クロックドインバータＵ１４及び第２クロックドインバータＵ１５を備えている。
【００６８】
ＮＯＲ回路Ｕ１１の２つの入力端子には、夫々、第２ラッチ回路部１１１−２＃ｂに対応する共通配線ＣＯＭｂの前段（つまり、前の行であって、ｂ−１行目）の走査線ｂ−１と、第２ラッチ回路部１１１−２＃ｂに対応する共通配線ＣＯＭｂの後段（つまり、後の行であって、ｂ＋１行目）の走査線Ｙｂ＋１とが電気的に接続されている。
【００６９】
第１インバータＵ１２の入力端子、第１クロックドインバータＵ１４の反転入力制御端子及び第２クロックドインバータＵ１５の非反転入力端子の夫々には、ＮＯＲ回路Ｕ１１の出力端子が電気的に接続されている。また、第１インバータＵ１２の出力端子には、第１のクロックドインバータＵ１４の非反転入力制御端子及び第２クロックドインバータＵ１５の反転入力端子の夫々が電気的に接続されている。
【００７０】
第１クロックドインバータＵ１４の入力端子には、極性信号ＰＯＬが入力されている。尚、極性信号ＰＯＬは、１垂直走査期間（例えば、１フィールド期間又は１フレーム期間）毎に電位レベルがハイレベルからローレベルへと又はローレベルからハイレベルへと切り替わる信号である。第１クロックドインバータＵ１４の出力端子には、第２クロックドインバータＵ１５の出力端子及び第２インバータＵ１３の入力端子の夫々が電気的に接続されている。第２クロックドインバータＵ１５の入力端子には、第２インバータＵ１３の出力端子が電気的に接続されている。
【００７１】
以上の第２ラッチ回路部１１１−２＃ｂは、以下のように動作する。
【００７２】
まず、走査線Ｙｂ−１及び走査線Ｙｂ＋１の少なくとも一方にハイレベルの走査信号が供給されると、該ハイレベルの走査信号は、ＮＯＲ回路Ｕ１１に入力される。その結果、ＮＯＲ回路Ｕ１１の出力端子からは、ローレベルの信号が出力される。ＮＯＲ回路Ｕ１１の出力であるローレベルの信号は、第１クロックドインバータＵ１４の反転入力制御端子に入力される。また、ＮＯＲ回路Ｕ１１の出力であるローレベルの信号は、第１インバータＵ１２により極性が反転されてハイレベルの信号に変換され、該ハイレベルの信号が第１クロックドインバータＵ１４の非反転入力制御端子に入力される。このため、第１クロックドインバータＵ１４はオン状態となり、極性信号ＰＯＬの極性を反転した信号である反転極性信号／ＰＯＬを出力する。この第１クロックドインバータＵ１４から出力された反転極性信号／ＰＯＬは、第２インバータＵ１３により極性が再度反転されて極性信号ＰＯＬに戻り、ラッチ信号ＬＡＴｂとして出力される。
【００７３】
他方、走査線Ｙｂ−１及び走査線Ｙｂ＋１の双方にローレベルの走査信号が供給されると、該ローレベルの走査信号は、ＮＯＲ回路Ｕ１１に入力される。その結果、ＮＯＲ回路Ｕ１１の出力端子からは、ハイレベルの信号が出力される。ＮＯＲ回路Ｕ１１の出力であるハイレベルの信号は、第２クロックドインバータＵ１５の非反転入力制御端子に入力される。また、ＮＯＲ回路Ｕ１１の出力であるハイレベルの信号は、第１インバータＵ１２により極性が反転されてローレベルの信号に変換され、該ローレベルの信号が第２クロックドインバータＵ１５の反転入力制御端子に入力される。このため、第２クロックドインバータＵ１５はオン状態となり、第２インバータＵ１３から出力された極性信号ＰＯＬの極性を反転した信号（つまり、反転極性信号／ＰＯＬ）を出力する。この第２クロックドインバータＵ１５から出力された反転極性信号／ＰＯＬは、第２インバータＵ１３により極性が再度反転されて極性信号ＰＯＬに戻り、極性信号ＰＯＬがラッチ信号ＬＡＴｂとして出力される。
【００７４】
即ち、第２ラッチ回路部１１１−２＃ｂは、走査線Ｙｂ−１及び走査線Ｙｂ＋１の少なくとも一方にハイレベルの走査信号が供給されると、極性信号ＰＯＬを取り込んで、この取り込んだ極性信号ＰＯＬをラッチ信号ＬＡＴｂとして出力する。また、第２ラッチ回路部１１１−２＃ｂは、走査線Ｙｂ−１及び走査線Ｙｂ＋１の双方にローレベルの走査信号が供給されると、ラッチ信号ＬＡＴｂを第２インバータＵ１３及び第２クロックドインバータＵ１５により保持しつつ、出力する。つまり、第２ラッチ回路部１１１−２＃ｂは、ハイレベルの走査信号が走査線Ｙｂ−１及び走査線Ｙｂ＋１の少なくとも一方に入力された時点で取り込んだ極性信号ＰＯＬを、少なくとも１垂直走査期間の間出力し続けることができる。
【００７５】
続いて、第１ラッチ回路部１１１−１＃１及び１１１−１＃ｎについて説明する。第１ラッチ回路部１１１−１＃１及び１１１−１＃ｎは、第２ラッチ回路部１１１−２＃ｂと比較して、ＮＯＲ回路Ｕ１１に代えて、低電位電源ＶＬＬが第１インバータＵ１２の入力端子、第１クロックドインバータＵ１４の反転入力制御端子及び第２クロックドインバータＵ１５の非反転入力端子の夫々に電気的に接続されているという点において異なっている。第１ラッチ回路部１１１−１＃１及び１１１−１＃ｎの動作については、第２ラッチ回路部１１１−２＃ｂの動作と同様である。つまり、第１ラッチ回路部１１１−１＃１及び１１１−１＃ｎでは、第１クロックドインバータＵ１４が常にオン状態になり、取り込んだ極性信号ＰＯＬを、常に出力し続けることができる。
【００７６】
続いて、図６を参照して、共通配線駆動回路１１０が備える電圧選択回路１１３の構成について説明する。ここに、図６は、共通配線駆動回路１１０が備える電圧選択回路１１３の構成を概念的に示すブロック図である。尚、上述したように、左側共通線駆動回路１１０ａが備える電圧選択回路１１３と右側共通配線駆動回路１１０ｂが備える電圧選択回路１１３とは、第１電圧供給線ＺＨ＃１（＃２）及び第２電圧供給線ＺＬ＃１（＃２）の夫々との接続の態様が若干異なることを除いて、同一の構成を有している。このため、以下の説明では、左側共通線駆動回路１１０ａが備える電圧選択回路１１３と右側共通配線駆動回路１１０ｂが備える電圧選択回路１１３とを区別することなく説明を進める。
【００７７】
図６に示すように、電圧選択回路１１３は、奇数行の共通配線ＣＯＭｉ（但し、ｉは、１≦ｉ≦ｎを満たす奇数であり、具体的には、１、３、・・・ｋ−１、・・・、ｎ−１）に対応して設けられた第１電圧選択回路部１１３−１＃ｉと、偶数行の共通配線ＣＯＭｊ（但し、ｊは、１≦ｉ≦ｎを満たす偶数であり、具体的には、２、４、・・・、ｋ、・・・、ｎ）に対応して設けられた第２電圧選択回路部１１３−２＃ｊとを含んでいる。尚、図６においては、ｋが偶数である場合の例について図示している。
【００７８】
第１電圧選択回路部１１３−１＃ｉは、インバータＵ３１、ＴＦＴＵ３２及びＴＦＴＵ３３を備えている。インバータＵ３１の入力端子には、第１ラッチ回路部１１１−１＃ｉ又は第２ラッチ回路部１１１−２＃ｉから出力されるラッチ信号ＬＡＴｉが入力される。ＴＦＴＵ３２の非反転入力ゲート端子及びＴＦＴＵ３３の反転入力ゲート端子の夫々には、インバータＵ３１の出力端子が電気的に接続されている。ＴＦＴＵ３３のソース端子には、第１電圧ＶＣＯＭＨが供給される第１電圧供給線ＺＨ＃１（又は、第１電圧供給線ＺＨ＃２）が電気的に接続されている。また、ＴＦＴＵ３２のソース端子には、第２電圧ＶＣＯＭＬが供給される第２電圧供給線ＺＬ（又は、第２電圧供給線ＺＬ＃２）が電気的に接続されている。また、ＴＦＴＵ３２のドレイン端子及びＴＦＴＵ３３のドレイン端子の夫々は、共通配線ＣＯＭｉに電気的に接続される。
【００７９】
また、第２電圧選択回路部１１３−２＃ｊは、インバータＵ３１、ＴＦＴＵ３２及びＴＦＴＵ３３を備えている。インバータＵ３１の入力端子には、第１ラッチ回路部１１１−１＃ｊ又は第２ラッチ回路部１１１−２＃ｊから出力されるラッチ信号ＬＡＴｊが入力される。ＴＦＴＵ３２の非反転入力ゲート端子及びＴＦＴＵ３３の反転入力ゲート端子の夫々には、インバータＵ３１の出力端子が電気的に接続されている。ＴＦＴＵ３３のソース端子には、第２電圧ＶＣＯＭＬが供給される第２電圧供給線ＺＬ＃１（又は、第２電圧供給線ＺＬ＃２）が電気的に接続されている。また、ＴＦＴＵ３２のソース端子には、第１電圧ＶＣＯＭＨが供給される第１電圧供給線ＺＨ＃１（又は、第１電圧供給線ＺＨ＃２）が電気的に接続されている。また、ＴＦＴＵ３２のドレイン端子及びＴＦＴＵ３３のドレイン端子の夫々は、共通配線ＣＯＭｊに電気的に接続される。
【００８０】
以上の第１電圧選択回路部１１３−１＃ｉ及び第２電圧選択回路部１１３−２＃ｊは、以下のように動作する。
【００８１】
まず、奇数行においては、第１ラッチ回路部１１１−１＃ｉ又は第２ラッチ回路部１１１−２＃ｉからは極性信号ＰＯＬがラッチ信号ＬＡＴｉとして第１電圧選択回路部１１３−１＃ｉに出力される。この極性信号ＰＯＬは、インバータＵ３１において反転された後、ＴＦＴＵ３２の非反転入力ゲート端子及びＴＦＴＵ３３の反転入力ゲート端子の夫々に入力される。このため、極性信号ＰＯＬの極性がローレベルである場合には、ＴＦＴＵ３２がオン状態になり、ＴＦＴＵ３３がオフ状態となる。その結果、第２電圧ＶＣＯＭＬを供給する第２電圧供給線ＺＬ＃１（又は、第２電圧供給線ＺＬ＃２）と走査線ＣＯＭｉとが、ＴＦＴＵ３２を介して電気的に接続される。他方で、極性信号ＰＯＬの極性がハイレベルである場合には、ＴＦＴＵ３２がオフ状態になり、ＴＦＴＵ３３がオン状態となる。その結果、第１電圧ＶＣＯＭＨを供給する第１電圧供給線ＺＨ＃１（又は、第１電圧供給線ＺＨ＃２）と走査線ＣＯＭｉとが、ＴＦＴＵ３３を介して電気的に接続される。
【００８２】
同様に、偶数行においては、第１ラッチ回路部１１１−１＃ｊ又は第２ラッチ回路部１１１−２＃ｊからは極性信号ＰＯＬがラッチ信号ＬＡＴｊとして第２電圧選択回路部１１３−２＃ｊに出力される。この極性信号ＰＯＬは、インバータＵ３１において反転された後、ＴＦＴＵ３２の非反転入力ゲート端子及びＴＦＴＵ３３の反転入力ゲート端子の夫々に入力される。このため、極性信号ＰＯＬの極性がローレベルである場合には、ＴＦＴＵ３２がオン状態になり、ＴＦＴＵ３３がオフ状態となる。その結果、第１電圧ＶＣＯＭＨを供給する第１電圧供給線ＺＨ＃１（又は、第１電圧供給線ＺＨ＃２）と走査線ＣＯＭｊとが、ＴＦＴＵ３２を介して電気的に接続される。他方で、極性信号ＰＯＬの極性がハイレベルである場合には、ＴＦＴＵ３２がオフ状態になり、ＴＦＴＵ３３がオン状態となる。その結果、第２電圧ＶＣＯＭＬを供給する第２電圧供給線ＺＬ＃１（又は、第２電圧供給線ＺＬ＃２）と走査線ＣＯＭｊとが、ＴＦＴＵ３３を介して電気的に接続される。
【００８３】
このように、本実施形態に係る液晶装置１００によれば、互いに隣接する共通配線ＣＯＭａ−１と共通配線ＣＯＭａとに互いに異なる電圧が供給されるように、複数の共通配線ＣＯＭ１からＣＯＭｎの夫々に対して第１電圧ＶＣＯＭＨ又は第２電圧ＶＣＯＭＬを選択的に供給することができる。加えて、複数の共通配線ＣＯＭ１からＣＯＭｎの夫々に対して供給される電圧を、１垂直走査期間毎に第１電圧ＶＣＯＭＨから第２電圧ＶＣＯＭＬへと又は第２電圧ＶＣＯＭＬから第１電圧ＶＣＯＭＨへと切り替えることができる。従って、いわゆるＣＯＭ分割駆動を行うことができるため、液晶装置１００の低消費電力化を図ることができる。
【００８４】
ここで特に、第１電圧ＶＯＣＭＨ及び第２電圧ＶＣＯＭＬの夫々を複数の共通配線ＣＯＭ１からＣＯＭｎの夫々に対して選択的に供給するためには、少なくとも第１電圧供給線ＺＨ＃１及び第２電圧供給線ＺＬ＃１を備えていれば足りる。しかしながら、本実施形態に係る液晶装置１００は、第１電圧供給線ＺＨ＃１及び第２電圧供給線ＺＬ＃１に加えて、第１電圧供給線ＺＨ＃２及び第２電圧供給線ＺＬ＃２を更に備えている。このため、第１電圧供給線ＺＨ＃１及び第２電圧供給線ＺＬ＃１のみを備える液晶装置と比較して、駆動ＩＣ回路１３０から共通線駆動回路１１０や複数の共通配線ＣＯＭ１からＣＯＭｎに至るまでの第１電圧ＶＣＯＭＨ及び第２電圧ＶＣＯＭＬの電流パス（つまり、供給経路ないしは入力経路）の数を増やすことができる。従って、駆動ＩＣ回路１３０から共通線駆動回路１１０や複数の共通配線ＣＯＭ１からＣＯＭｎに至るまでの配線負荷を相対的に低減させることができる。これにより、各共通配線ＣＯＭ１からＣＯＭｎの電位（言い換えれば、各共通電極１１の電位）が、各共通配線ＣＯＭ１からＣＯＭｎ（或いは、共通電極１１）電極と対になる画素電極９ａの電位の変化に誘導されてしまうという不都合の発生を好適に抑制ないしは防止することができる。これにより、液晶層５０に印加される電位差が、本来意図した電位差とは異なるものになってしまうという不都合の発生を好適に抑制ないしは防止することができる。その結果、液晶装置１００は、本来意図した態様での画像表示（例えば、本来意図した階調での画像表示）を行うことができる。つまり、第１電圧供給線ＺＨ＃１及び第２電圧供給線ＺＬ＃１に加えて、第１電圧供給線ＺＨ＃２及び第２電圧供給線ＺＬ＃２を付加的に設けることで、液晶装置１００の表示品位を相対的に向上させることができる。
【００８５】
尚、第１電圧供給線ＺＨ＃２及び第２電圧供給線ＺＬ＃２の夫々の抵抗値が低ければ低い程、駆動ＩＣ回路１３０から共通線駆動回路１１０や複数の共通配線ＣＯＭ１からＣＯＭｎに至るまでの配線負荷をより一層低減させることができる。このため、第１電圧供給線ＺＨ＃２及び第２電圧供給線ＺＬ＃２の抵抗値は低い方が好ましい。例えば、第１電圧供給線ＺＨ＃２及び第２電圧供給線ＺＬ＃２の抵抗値は、第１電圧供給線ＺＨ＃１及び第２電圧供給線ＺＬ＃１の抵抗値よりも低い方が好ましい。もちろん、第１電圧供給線ＺＨ＃２及び第２電圧供給線ＺＬ＃２の抵抗値は、第１電圧供給線ＺＨ＃１及び第２電圧供給線ＺＬ＃１の抵抗値よりも高かったとしても、配線負荷を相応に低減させることができるということに変わりはない。
【００８６】
（３）変形例
続いて、図７を参照して、本実施形態に係る液晶装置１００の変形例について説明する。ここに、図７は、変形例に係る液晶装置１００ａの要部の電気的な構成を概念的に示すブロック図である。尚、上述した液晶装置１００と同一の構成については、同一の参照符号を付して、その詳細な説明については省略する。
【００８７】
図７に示すように、変形例に係る液晶装置１００ａは、上述した液晶装置１００と比較して、１つの共通配線駆動回路１１０を備えている（つまり、左側共通配線駆動回路１１０ａを備え、且つ右側共通配線駆動回路１１０ｂを備えていない）という点において異なっている。
【００８８】
更に、変形例に係る液晶装置１００ａにおいては、上述した液晶装置１００と比較して、第１電圧供給線ＺＨ＃２及び第２電圧供給線ＺＬ＃２が設けられている位置が異なる。変形例に係る液晶装置１００ａにおいては、第１電圧供給線ＺＨ＃２は、駆動ＩＣ回路１３０のスルー端子１３２からパネル検査用端子１４２を経由して第１電圧供給線ＺＨ＃１に向かう配線としてＴＦＴアレイ基板１０上に設けられている。また、第２電圧供給線ＺＬ＃２は、駆動ＩＣ回路１３０のスルー端子１３１からパネル検査用端子１４１を経由して第１電圧供給線ＺＬ＃１に向かう配線としてＴＦＴアレイ基板１０上に設けられている。
【００８９】
尚、駆動ＩＣ回路１３０のスルー端子１３１及び１３２は、駆動回路１３０で生成される又は供給される電圧信号を取り出すことが可能な端子である。具体的には、スルー端子１３１からは、第２電圧信号ＶＣＯＭＬが供給され、スリー端子１３２からは第１電圧信号ＶＣＯＭＨが供給される。また、パネル検査用端子１４１及び１４２は、本発明における「第２端子」の一具体例を構成しており、製造途中や出荷時の液晶装置１００ａの品質や欠陥等を検査するための検査回路と液晶装置１００ａとを接続するための端子である。
【００９０】
このように、変形例に係る液晶装置１００ａによれば、上述した液晶装置１００と同様に、第１電圧供給線ＺＨ＃１及び第２電圧供給線ＺＬ＃１に加えて、第１電圧供給線ＺＨ＃２及び第２電圧供給線ＺＬ＃２を更に備えている。このため、第１電圧供給線ＺＨ＃１及び第２電圧供給線ＺＬ＃１のみを備える液晶装置と比較して、駆動ＩＣ回路１３０から共通線駆動回路１１０や複数の共通配線ＣＯＭ１からＣＯＭｎに至るまでの配線負荷を相対的に低減させることができる。これにより、上述した液晶装置１００が享受する効果と同様の効果を享受することができる。
【００９１】
加えて、パネル検査用端子１４１及び１４２が設けられるＴＦＴアレイ基板１０上の領域部分は、走査線Ｙ１からＹｎやデータ線Ｘ１からＸｍや共通配線ＣＯＭ１からＣＯＭｎ等が設けられていない比較的スペースに余裕のある領域部分である。このため、変形例に係る液晶装置１００ａによれば、上述した液晶装置１００と比較して、第１電圧供給線ＺＨ＃２及び第２電圧供給線ＺＬ＃２を比較的容易に設けることができるという効果を更に享受することができる。加えて、パネル検査用端子１４１及び１４２が設けられるＴＦＴアレイ基板１０上の領域部分は、一般的に薄膜形成プロセスの制約が少ない領域であることが多いため、シート抵抗値が相対的に低いアルミなどの配線層を使える領域部分となる。このため、第１電圧供給線ＺＨ＃２及び第２電圧供給線ＺＬ＃２の夫々の抵抗値を相対的に低くすることができる。その結果、駆動ＩＣ回路１３０から共通線駆動回路１１０や複数の共通配線ＣＯＭ１からＣＯＭｎに至るまでの配線負荷をより一層低減させることができるという効果を更に享受することができる。
【００９２】
尚、上述した説明では、第１電圧供給線ＺＨ＃２及び第２電圧供給線ＺＬ＃２を１組設ける例について説明している。しかしながら、複数組の第１電圧供給線ＺＨ＃２及び第２電圧供給線ＺＬ＃２を設けるように構成してもよい。この場合、第１電圧供給線ＺＨ＃２及び第２電圧供給線ＺＬ＃２を１組設けると比較して、駆動ＩＣ回路１３０から共通線駆動回路１１０や複数の共通配線ＣＯＭ１からＣＯＭｎに至るまでの配線負荷をより一層低減させることができるという効果を更に享受することができる。
【００９３】
また、図３や図７に示す構成例はあくまで一例であり、第１電圧供給線ＺＨ＃２及び第２電圧供給線ＺＬ＃２の形状や配置等の態様は、図３や図７に示す態様に限られないことは言うまでもない。例えば、液晶装置１００の正常な駆動に影響を与えなければ（例えば、走査線Ｙ１からＹｎ、データ線Ｘ１からＸｍ及び共通配線ＣＯＭ１からＣＯＭｎ等の配線と干渉しなければ）、第１電圧供給線ＺＨ＃２及び第２電圧供給線ＺＬ＃２の形状や配置等の態様は任意に設定することができる。
【００９４】
また、上述の説明では、画素電極９ａと共通電極１１とがＴＦＴ基板１０上に設けられつつも夫々異なる層に設けられると共に、画素電極９ａと共通電極１１とが絶縁層１２を間に挟持し、液晶層５０側の画素電極９ａに開口部を有するＦＦＳ方式を採用する液晶装置１００について説明を進めているが、液晶層５０側に、開口部を有する共通電極１１を設けるように構成してもよい。また、画素電極９ａと共通電極１１とが同じ層に設けられるＩＰＳ方式を採用する液晶装置においても、上述した構成を採用することで、上述した各種効果を享受することができることは言うまでもない。また、横電界駆動方式を採用する液晶装置のみならず、例えばＴＮ（ツイスト・ネマティック）方式や、ＥＣＢ（複屈折電界効果）方式や、ＶＡ（垂直配向）方式等の縦電界駆動方式を採用する液晶装置においても、上述した構成を採用することで、上述した各種効果を相応に享受することができる。
【００９５】
（４）電子機器
続いて、図８及び図９を参照しながら、上述の液晶装置１００を具備してなる電子機器の例を説明する。
【００９６】
図８は、上述した液晶装置１００が適用されたモバイル型のパーソナルコンピュータの斜視図である。図８において、コンピュータ１２００は、キーボード１２０２を備えた本体部１２０４と、上述した液晶装置１００を含んでなる液晶表示ユニット１２０６とから構成されている。液晶表示ユニット１２０６は、液晶装置１００の背面にバックライトを付加することにより構成されている。
【００９７】
次に、上述した液晶装置１００を携帯電話に適用した例について説明する。図９は、電子機器の一例である携帯電話の斜視図である。図９において、携帯電話１３００は、複数の操作ボタン１３０２とともに、半透過反射型の表示形式を採用し、且つ上述した液晶装置１００と同様の構成を有する液晶装置１００５を備えている。
【００９８】
これらの電子機器においても、上述した液晶装置１００を含んでいるため、上述した各種効果を好適に享受することができる。
【００９９】
尚、図８及び図９を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた直視型の表示装置や、液晶プロジェクタ等の投射型の表示装置等が挙げられる。そして、これらの各種電子機器に適用可能なのは言うまでもない。
【０１００】
本発明は、上述した実施例に限られるものではなく、請求の範囲及び明細書全体から読み取れる発明の要旨或いは思想に反しない範囲で適宜変更可能であり、そのような変更を伴う電気光学装置及び電子機器もまた本発明の技術的範囲に含まれるものである。
【図面の簡単な説明】
【０１０１】
【図１】実施形態に係る液晶装置の構成を示す平面図である。
【図２】図１のＨ−Ｈ’断面図である。
【図３】本実施形態に係る液晶装置の要部の電気的な構成を概念的に示すブロック図である。
【図４】共通配線駆動回路の構成を概念的に示すブロック図である。
【図５】共通配線駆動回路が備えるラッチ回路の構成を概念的に示すブロック図である。
【図６】共通配線駆動回路が備える電圧選択回路の構成を概念的に示すブロック図である。
【図７】変形例に係る液晶装置の要部の電気的な構成を概念的に示すブロック図である。
【図８】液晶装置が適用されたモバイル型のパーソナルコンピュータの斜視図である。
【図９】液晶装置が適用された携帯電話の斜視図である。
【符号の説明】
【０１０２】
１…液晶装置、１１…共通電極、１０１…データ線駆動回路、１０４…走査線駆動回路、１１０…共通配線駆動回路、１１１…ラッチ回路、１１３…電圧選択回路、Ｙ１〜Ｙｎ…走査線、ＣＯＭ１〜ＣＯＭｎ…共通配線、ＺＨ…第１電圧供給線、ＺＬ…第２電圧供給線
【図１】
2009210674.tif 000003
【図２】
2009210674.tif 000004
【図３】
2009210674.tif 000005
【図４】
2009210674.tif 000006
【図５】
2009210674.tif 000007
【図６】
2009210674.tif 000008
【図７】
2009210674.tif 000009
【図８】
2009210674.tif 000010
【図９】
2009210674.tif 000011